(57)【要約】      （修正有）【課題】ウイルスや花粉の進入を防ぎ、呼吸が楽で、口紅等の汚れが付着せず、頬にゴムの跡を残さず、保温も兼ねたお洒落なマスクを提供する。【解決手段】口に当たるマスクの内部を、複数のポケット状Ａ，Ｂ，Ｃに設け、顔に接するポケットの内部に、鼻の凸部に合わせて緩やかな半球状の薄型軟質保形部材２を挿入し、保形部材を支えるために、顔に接するポケットの内面に保形部材より小さめの穴３を設け、他のポケットには、保湿シートや芳香剤を含ませたシート等も挿入可能にし、マスク両端部より関連するベルト６を設け、先端部に耳掛け部材７を装着し、マスクの表面の素材をレースや色物又は柄物にしてファッション性を出したマスク。【選択図】図１
2006167040.tif 000002
【特許請求の範囲】
【請求項１】
口に当たるマスクの内部に複数のポケットを設け、顔に接するポケットの内部に、鼻の凸部に合わせて緩やかな半球形の薄型軟質の通気性を有する保形部材挿入し、その保形部材を支えて呼吸を楽にするために、顔に接するポケットの内面に保形部材より小さめの穴を設け、他のポケットには、保湿シートや芳香剤シート等の挿入を可能にし、マスクの両端部より関連ベルトを装着し、先端部に耳掛け部材を設けたマスク。
【請求項２】
請求項１記載のマスクの内部に設けた複数のポケット挿入口を、内部にゆくほど短めに段差を設ける。
【請求項３】
請求項１及び２記載のマスクの表面素材を、レースや色物又は柄物等にする事により、ファッション性を高める事を特徴とするマスク。
【発明の詳細な説明】
【技術分野】
【０００１】
本発明は、ウイルスや花粉等の進入を防ぎ、口紅等の汚れが付着せず、呼吸の楽なマスクで、頬にゴムの跡を付けず、保温、ファッション性の高いマスクに関するものである。
【背景技術】
【０００２】
従来の普遍的なマスクは、直接顔に密着するため、呼吸の苦しいものが多く、呼吸を楽にするために、マスクの内部に格子状の桟を有するドームの周囲にフィンを設けたものもあるが、洗濯を重ねるにしたがってフィンの部分がマスクより出て、横から丸見えになり、横面から見ると口の部分が突き出たように見えるために体裁が悪く、マスクのゴムが頬に跡を残し、冬には保温も兼ねるマスクが、マスクと耳の間はゴムのみで、空白の部分の頬が寒かった。
【０００３】
【特許文献１】特開平０９−２７６４２４号公報
【０００４】
就寝中、風邪や花粉症による鼻詰まりのために、口を開けて寝る人も多く、薬の副作用等で、口がからからに乾く事もある。乾燥やウイルスの進入を防ぐために、マスクをして休む人も、就寝すると横向きに寝る事が多いため、ゴムの跡が頬に付きやすく、寝返りの激しい人はゴムの部分が長いので、外れやすかった。又白一色のため病的に見え、お洒落なマスクはなかった。  
【発明の開示】
【発明が解決しようとする課題】
【０００５】
ウイルスや花粉の進入を防ぎ、呼吸が楽で、口紅等の汚れが付着せず、頬に
ゴムの跡を残さず、保温も兼ねたお洒落なマスクを課題とした。
【課題を解決するための手段】
【０００６】
本発明は、この様な従来の構成が有していた問題を解決しようとするものであり、口に当たるマスク部分のマスクの内部に設けた複数のポケット口より挿入物の、挿入取り出しが楽に出来るように、僅かに段差をつけて内部になるほど、短めに設ける。
【０００７】
顔に接するポケットの内部に、鼻の凸部に合わせて立体性を持たせ、緩やかな半球状の薄型軟質の通気性を有する保形部材を挿入し、その保形部材を支えるために、顔に接するポケットの内面に、保形部材より少し小さめの楕円形の穴を設け、口紅等の汚れが付着せず、呼吸が楽なように、空気溜まりを作るようにした。
【０００８】
顔に接する内面の布等は、ガーゼでも良いが、化粧品等の汚れが付着しないような、保温性があり、薄くて柔らかい化学繊維素材のニット  トリコット  メリヤス等や、天然繊維と化学繊維の混紡や不織布等が望ましい。
【０００９】
他のポケットBCには、花粉やウイルスの侵入を防ぐ保湿シートや、芳香剤を含ませたシート等の出し入れを可能に加工した。BC のポケットのシートの順序は入れ替わっても良く挿入は自由である。
【００１０】
マスクを立体的に成型するために、鼻の凸部に合わせ、マスク端部の中央部を長めに中高に裁断し、マスク両端部をギャザー又はタックをとり、その両端部よりゴムに変わり、頬にゴムの跡を残さず保温のために、マスクとの関連ベルト設け、その先端部に耳掛け部材を装着する。
【００１１】
マスクと関連ベルトの縫い代は、外表に縫い代を出し、その縫い代をくるみ、顔をすっきりと細めに見えるように立体的な縦線を強調して、ファッション性をもたせる。（縫い代は内部に処理しても良い）
【発明の効果】
【００１２】
マスクの内部をポケット状にして僅かに段差を設ける事により、シート等の出し入れが楽になる。口に接するマスクの内部は、鼻の凸型に合わせて緩やかな半球状の薄型軟質の通気性を有する保形部材を挿入し、その内面に保形部材を支えるための小さめの楕円形や、丸みを帯びた三角形等の穴を設ける事によりに、口紅等が付着せず、空気溜まりができ、呼吸を楽にする。
【００１３】
花粉やウイルスからの進入を防ぎ、保温も兼ね、顔に優しいマスクにするために、マスクより伸びるゴムの部分をマスクより関連ベルトにして、外気からの寒さを防ぎ、頬にゴムの跡を残さないようにする。先端部の耳かけ部材は、短いので寝返り等による外れを防ぐ。
【００１４】
マスクのファッション性を出すために、従来の病的なイメージを持つ白から、外面の素材をレースや色物や柄物にする事により、ファッションの一部として、洋服との関連を持たせ、楽しむことも出来るようにする。勿論白一色でも良い。マスクと、ベルトの装着部分の縫い代を、外表にしてくるみ、立体的な縦線を強調して顔を細めに見せ、デザインとしても面白さが出るようにする。（縫い代を、内部に入れても良い）
【００１５】
他のポケットには、保湿シートや芳香剤をしみこませたシートの挿入を可能にしたために、花粉やウイルスからの進入を防ぎ、心地良い香りに気分を和らげ、安眠を誘う効果を高める。
【発明を実施するための最良の形態】
【００１６】
上記の目的を達成するために図1は、口に当たるマスク１の内部に複数のポケットABCを設け、挿入物の出し入れが楽に出来るように、ポケット口に僅かに内面にいくほど短めに段差をつける。
【００１７】
顔に接する第１ポケットAに、鼻の凸部に合わせて緩やかな半球状の抗菌処理をした薄型軟質の通気性を有する保形部材２を挿入、顔に接する内面のポケット面に、その保形部材を支え口紅等の汚れが付着せず,呼吸が楽で空気溜まりが出来るように、保形部材より少し小さめの楕円形又は丸みを帯びた三角形等の穴３を設ける。
【００１８】
マスクの両端部４を、立体的に加工するために、中央部を長めに中高に裁断し、ギャザー５又はタックをとり、ゴムに変わり、関連ベルト６を設ける。
【００１９】
マスク１とベルト６の縫い代は、外表に縫い代を出し、その縫い代をくるみ、顔をすっきりと細めに見えるように立体的な縦線８を強調して、ファッション性を高めるようにする。（縫い代は内部に処理しても良い）
先端に耳掛け部材７を装着する。
【００２０】
他のポケットには、保湿シートや芳香剤を含ませたシート等の挿入を可能にし、頬にゴム跡を残さず保温を保つために、マスク両端部４より延長のベルト６を設け、先端部に耳掛け部材７を装着する。
【００２１】
マスクと通気性を有する保形材は取り外しが出来、別々の洗濯も可能である。
【００２２】
上記の目的を有しながら図３、図４は、より高いファッション性を出すために、マスク１の表面の素材をレース又は、着色、柄物等で加工して、洋服との関連性を持たせ、ファションの一部として、マスクを使用する。マスク１は、ガーゼのみにあらず、薄くて暖かい通気性もあるニット  トリコット  メリヤス等の化学繊維や、化学繊維と天然繊維等の混紡が望まく、洗濯しても、汚れが落ちやすく、縮まない物が良い。従来どおり、白一色でも可。図５は、立体マスクの使用時の斜視図である。
【図面の簡単な説明】
【００２３】
【図１】マスクの内面
【図２】通気性のある保形部材
【図３】縦線を強調したマスクの外面
【図４】縫い代を内部に納めたマスクの外面
【図５】立体マスクを使用時の斜視図
【符号の説明】
【００２４】
１  マスク
２  通気性のある保形部材
３  穴
４  マスクの端部
５  ギャザー
６  ベルト
７  耳掛け部材
８  立体的な縦線
Ａ  第１ポケット
Ｂ  第２ポケット
Ｃ  第３ポケット
【図１】
2006167040.tif 000003
【図２】
2006167040.tif 000004
【図３】
2006167040.tif 000005
【図４】
2006167040.tif 000006
【図５】
2006167040.tif 000007